(57)【要約】【課題】アークフラッシュを防止および軽減する。【解決手段】保護ケース内のギャップ（３５）によって分離された電極（３４Ａ、３４Ｂ、３４Ｃ）を備えたアーククローバー。各電極は、回路の電気的に異なる導体に接続される。センサ（４２、４４）は、回路のアークフラッシュ状態を検出し、アーククローバーのギャップ内のアークトリガ装置（３６）に電気パルスを送るようにトリガ回路（５２）に信号を送る。トリガ装置は、電極間の気体の一部を電離し、電力回路からエネルギーを吸収して遮断器をトリップさせる保護アークを電極間に開始し、アークフラッシュ状態を排除する。トリガ装置は、プラズマガンであってよく、特に、アブレーションされた材料のプラズマをギャップの中へ射出するものであってよい。センサは、回路遮断器（２６）に電力回路内で開くように信号を送ってよい。【選択図】図１
2008258159.tif 000002
【特許請求の範囲】
【請求項１】
封じ込められたケース内において気体の中のギャップ（３５）によって分離されたギャップ電極（３４Ａ、３４Ｂ、３４Ｃ）を備え、それぞれの電極が、電気回路の電気的に異なる部分に接続された保護アーク装置と、
前記ギャップ内の前記気体の一部を電離し、そうして前記電気回路からエネルギーを吸収する前記電極間の保護アークを開始する、ギャップ内のアークトリガ装置（３６）と、
前記アークトリガ装置を起動するために前記アークトリガ装置に電気パルスを送るトリガ回路（５２）と、
前記電気回路においてアークフラッシュ状態を検出したときに、前記アークトリガ装置に前記電気パルスを送るように前記トリガ回路に信号を送るアークフラッシュセンサ（４２、４４）とを備え、
前記電気回路のアークフラッシュ状態の結果、前記アークフラッシュ状態からのエネルギーをそらす保護アークを発生させるように前記保護アーク装置をトリガするアークフラッシュ排除装置。
【請求項２】
前記電気回路に信号制御回路遮断器（２６）をさらに備え、前記センサが前記アークフラッシュ状態を検出したとき、前記センサが、前記回路遮断器に開くように信号を送る、請求項１記載のアークフラッシュ排除装置。 
【請求項３】
前記アークトリガ装置が、前記気体の一部を電離するか、または前記電極間にプラズマを射出したとき、前記ギャップ電極間の前記ギャップが、前記電気回路の前記電気的に異なる部分の間の他のいかなるギャップまたは他の絶縁体よりも低い電気インピーダンスを有する、請求項１記載のアークフラッシュ排除装置。
【請求項４】
前記アークトリガ装置が、前記気体の電気的絶縁破壊を達成するように、電圧または電流のパルスによって前記保護アークをトリガするトリガ電極を備える、請求項１記載のアークフラッシュ排除装置。
【請求項５】
前記アークトリガ装置が、前記保護アークを開始するように前記ギャップ内の前記気体の一部を電離する発熱体を備える、請求項１記載のアークフラッシュ排除装置。
【請求項６】
前記アークトリガ装置が、前記ギャップ電極間の前記保護アークを開始するように前記ギャップ電極間の前記ギャップの中へプラズマを射出する発散ノズルを有するプラズマガン（６０）を備える、請求項１記載のアークフラッシュ排除装置。
【請求項７】
前記アークトリガ装置が、前記ギャップ電極間の前記保護アークを開始するように、アブレーションされた材料のプラズマを前記ギャップ電極間の前記ギャップの中に射出するアブレーティブプラスマガン（６０）を備える、請求項１記載のアークフラッシュ排除装置。
【請求項８】
前記アブレーティブプラズマガンが、前記保護アークの電流が前記回路遮断器を開くことができるようにするのに十分な導電性のあるプラズマを射出する、請求項７記載のアークフラッシュ排除装置。 
【請求項９】
前記封じ込められたケースが内側の衝撃音波吸収層を備える、請求項１記載のアークフラッシュ排除装置。
【発明の詳細な説明】
【技術分野】
【０００１】
本発明は、アークフラッシュの防止および軽減技術に関し、具体的には、この目的のための電気クローバー装置に関する。
【背景技術】
【０００２】
電力回路および開閉器は、絶縁体によって分離された導体を有する。空気空間が、しばしば、ある領域においてこの絶縁体の一部またはすべてとして働く。導体が互いに近すぎる場合、または電圧が絶縁特性を超えた場合、導体間にアークが発生することがある。導体間の空気またはなんらかの絶縁体（気体または固体の誘電体）が電離されて、導電性にされ、それがアークの発生を可能にすることがある。アークの温度は、最高２０，０００℃に達することがあり、少し離れていても、導体および隣接する材料を気化し、回路を破壊して作業員を危険にさらす爆発的なエネルギーを放出する。たとえば、１０ｋＡ／４８０Ｖのアークは、約８本のダイナマイトのエネルギーを有する。米国においては１日に約５件から１０件の重大なアークフラッシュ事故が発生している。
【０００３】
アークフラッシュは、相と相、相と中性点、または相とアースとの間のアーク障害による急速なエネルギー放出の結果である。アークフラッシュは、爆発のものと同様の高熱、強烈な光、圧力波、および音波／衝撃波を発生することがある。しかしながら、アーク故障電流は、通常、短絡電流よりもかなり小さく、そのため、回路遮断器がアーク故障状態を扱うように選択されていなければ、回路遮断器のトリップが遅れるか、またはトリップしないことが予想される。Ｎａｔｉｏｎａｌ  Ｅｎｖｉｒｏｎｍｅｎｔａｌ  Ｐｏｌｉｃｙ  Ａｃｔ  （ＮＥＰＡ）、Ｏｃｃｕｐａｔｉｏｎａｌ  Ｓａｆｅｔｙ  ａｎｄ  Ｈｅａｌｔｈ  Ａｄｍｉｎｉｓｔｒａｔｉｏｎ（ＯＳＨＡ）、およびＩｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）などの機関および基準が、作業員の保護用衣服および装置によってアークフラッシュの問題を規制しているが、アークフラッシュを排除するための規則によって確立された装置は存在しない。
【０００４】
現在のアークフラッシュの軽減技術は十分ではない。標準的なヒューズおよび回路遮断器は、アークフラッシュに対する反応が十分に速くない。電気「クローバー」は、電気回路を意図的に短絡し、そうして電気エネルギーをアークフラッシュから脇へそらす保護装置である。このように発生された意図的な３相の短絡故障は、こうしてヒューズまたは回路遮断器をトリップすることによってクリアされ、最終的に電力を遮断する。従来技術のアークフラッシュの軽減装置の例は、米国特許第６，１４１，１９２号、第６，５３２，１４０号、第６，６３３，００９号、第６，８３９，２０９号、および国際特許公開第９９２１２５４号に開示されている。しかしながら、機械処理および／または電子機械処理に頼っている回路遮断器は、損傷が起こる前にアークフラッシュを止めるには遅すぎる可能性がある。
【特許文献１】米国特許第６，１４１，１９２号公報
【特許文献２】米国特許第６，５３２，１４０号公報
【特許文献３】米国特許第６，６３３，００９号公報
【特許文献４】米国特許第６，８３９，２０９号公報
【特許文献５】国際特許公開第９９２１２５４号公報
【特許文献６】米国特許第６，７５１，５２８号公報
【特許文献７】米国特許第６，２３２，８５７号公報
【特許文献８】米国特許第４，３６９，３６４号公報
【特許文献９】米国特許第５，９３３，３０８号公報
【特許文献１０】米国特許第７０６２３８８  Ｂ２号公報
【特許文献１１】米国特許第６６８３７６４  Ｂ１号公報
【特許文献１２】米国特許第６４１７６７１  Ｂ１号公報
【特許文献１３】米国特許第６２４２７０７  Ｂ１号公報
【特許文献１４】米国特許第６２０７９１６  Ｂ１号公報
【特許文献１５】米国特許第６１２８１６８号公報
【特許文献１６】米国特許第４６４５８８９号公報
【特許文献１７】米国特許第４４０９４４７号公報
【特許文献１８】米国特許第４２８９９４１号公報
【特許文献１９】米国特許第３９９７２３５号公報
【特許文献２０】米国特許第４２５９７０４号公報
【特許文献２１】米国特許第６４３３９７６  Ｂ１号公報
【特許文献２２】米国特許第５６５０９０２  Ａ号公報
【特許文献２３】米国特許第６９５２３３２  Ｂ２号公報
【特許文献２４】米国特許第６６５７１５０  Ｂ１号公報
【特許文献２５】米国特許出願公開第２００３０２３１４５３  Ａ１号公報
【特許文献２６】米国特許出願公開第２００３０２３１４４３  Ａ１号公報
【特許文献２７】米国特許第５９０５２４４  Ａ号公報
【特許文献２８】米国特許第４３４７４１４  Ａ号公報
【非特許文献１】Publication Titled: Bypass Gap, by GE Transmission， Distribution & Industrial Systems， regarding Series Compensation Systems， dated 11/14/1999
【発明の開示】
【発明が解決しようとする課題】
【０００５】
したがって、アークフラッシュを防止および軽減する装置が提供されることが望まれる。
【課題を解決するための手段】
【０００６】
本発明の一態様は、爆発圧力封じ込め容器内のアーククローバーにエネルギーをそらすことによって、電気回路におけるアークフラッシュを排除する方法に帰する。
【０００７】
本発明の別の態様は、いつアークフラッシュが発生するかを判定する論理回路に接続された１つまたは複数の特殊なアークフラッシュ検出装置を備えた電気回路をモニタすることに帰する。そうして、論理回路が、電気回路においてアーククローバーへのトリガ信号および信号制御回路遮断器へのトリップ信号の両方を発生する。
【０００８】
本発明の別の態様は、圧力封じ込め容器内のギャップ電極を備えたアーククローバー装置に帰する。電極間のアークトリガ装置が、電極間に保護アークを開始するように電極間の気体の一部を電離するか、またはギャップにプラズマを注入射出する。
【０００９】
本発明の別の態様は、高速で効率的なアークフラッシュの排除および遮断器のトリップのために、保護アークを開始して、ギャップインピーダンスを下げるように、アブレーションされた材料のプラズマをアーククローバーの電極間のギャップの中に射出するアーククローバートリガ装置として設けられるアブレーティブプラズマガンに帰する。
【００１０】
本発明のこれらおよび他の特徴、態様、および利点は、すべての図面において同様の符号が同様の部品を示す添付の図面を参照して以下の詳細な説明が読まれたとき、よりよく理解されるであろう。
【発明を実施するための最良の形態】
【００１１】
本発明の発明者らは、制御されたアークが、アークフラッシュ排除のための電気的クローバーとして働くことができること、およびこのような制御されたアークが、既存のクローバーよりも速くなることができ、回路および作業員に対してよりよい保護を与えることを、革新的に認識した。図１は、信号制御可能な回路遮断器２６によって保護されている３つのそれぞれの母線２４Ａ、２４Ｂ、２４Ｃへ３相の電力Ａ、Ｂ、Ｃを供給する電源部２２を備えた電気回路２０１を示す。電力は、母線を介して１つまたは複数の負荷２８Ａ、２８Ｂ、２８Ｃへ供給される。
【００１２】
回路遮断器２６は、短絡回路の場合に開く。しかしながら、アークフラッシュの両端に流れる電流は、回路遮断器をトリップさせる短絡回路のアーク放電の電流よりも低いので、回路遮断器２６はアークフラッシュ３０の場合には開かない。さらに、機械的遮断器は、アークフラッシュによる破損および危険を防ぐには遅すぎる。
【００１３】
この問題を解決するために、本発明の態様に従って、アークフラッシュを迅速に排除するためのアーククローバー３２が回路に接続される。このアーククローバーは、それぞれの相Ａ、Ｂ、Ｃに接続されたギャップ電極３４Ａ、３４Ｂ、３４Ｃを備えている。ギャップ３５または複数のギャップが、これらの電極を互いに分離している。ギャップは、空気、または窒素、六フッ化硫黄、もしくは任意の他の適切な不活性ガスなどの他の絶縁気体の中にあってよい。ギャップ３５内のトリガ装置３６が、絶縁気体の局所部分を電離して、電極間の保護アーク３７を開始する。この保護アークが、電気回路からのエネルギーを素早く吸収し、危険なアーク３０を排除する。電極３４Ａ、３４Ｂ、３４Ｃは、保護アークの爆発的なエネルギーに耐えるために衝撃音波吸収部４１を含んでよい堅固な耐圧容器またはケース３８の中に封じ込められる。ケース３８は、ＴＮＴの計算量に相当する爆薬に耐えることのできる、たとえば、鋼鉄、他の金属もしくは合金、またはプラスチック複合材からなる圧力封じ込め容器であってよい。 
【００１４】
アークフラッシュの低い電流が、早期の検出をより困難にする。この理由のために、差動電流センサ４２および／または光センサ４４などの１つまたは複数の適切なセンサが、アークフラッシュ３０を検出するのに設けられてよい。このようなセンサは当業界で既知である。たとえば、差動電流センサ技術が、本発明の代理人の米国特許第６，７５１，５２８号および第６，２３２，８５７号に述べられている。光センサ４４は、米国特許第４，３６９，３６４号に述べられている光センサのような、当業界で知られている任意のタイプの光センサであってよい。
【００１５】
センサ４２、４４は、アーク３０の検出に際してクローバートリガ起動指令４８を発生する論理回路４６に接続される。これが、トリガ３６にパルス５４を供給するようにトリガ回路５２に指示し、トリガに電極３４Ａ、３４Ｂ、および３４Ｃの間のギャップ３５内のいくらかの気体を電離させる。これが、ギャップのインピーダンスを下げ、電極間の保護アークを開始する。クローバーのギャップ３５は、電極３４Ａ、３４Ｂ、３４Ｃのサイズおよび間隔によって、および下記に述べるようにトリガにアブレーション材料を設けることによって、所与の回路電圧用に構成されてよい。トリガすることで、システム電流がクローバー内に流れるように、電極３４Ａ、３４Ｂおよび３４Ｃの間のインピーダンスが下がる。
【００１６】
ギャップ３５のインピーダンスは、回路遮断器を開くのに十分な電流を導くアークに耐えるように構成されていてよい。これに加えて、回路遮断器２６を開くように、回路遮断器トリップ信号５０が論理回路４６によって発生されてよい。しかしながら、回路遮断器が開く時間を有する前に、アークフラッシュの排除が保護アーク３７によって達成される。
【００１７】
図２は、球形の電極３４Ａ、３４Ｂおよびトリガ３６を備えたアーククローバーケース３８の断面図を示す。ケースは、保護アーク３７によって発生される衝撃音波を吸収する制動層４１を含んでよい。トリガ３６は、主電極３４Ａ、３４Ｂの間のいくらかの気体を電離するのに十分な電流のパルスを受ける電極ピン３６、電極対、または発熱体であってよい。代替として、トリガは、 Ｔｅｆｌｏｎ（商標）、Ｄｅｌｒｉｎ（商標）、ポリメタクリル酸メチル（ＰＭＭＡ）、または任意のアブレーティブ重合体のようなアブレーションされた材料のプラズマを超音速で電極間ギャップ３５の中に射出するアブレーティブプラズマガン６０であってよい。これが電極間に導電チャネルを作り、高速かつ保護的なクローバー電流反応のために、ギャップのインピーダンスを迅速かつ劇的に下げる。図３は、３つの球形電極３４Ａ、３４Ｂ、３４Ｃ、および電極間にプラズマ６２を射出するプラズマガントリガ６０を備えたアーククローバーの斜視図である。１つまたは複数の圧力開放ベント３９がケース３８に設けられてよい。このベントは、常に開いていてベントのサイズによって開放量を制御してよいか、または圧力が所定の安全閾値を超えたときにのみ弁または破裂板によって開いてよい。フィルタ４０が、微粒子の放出を防ぐために設けられてよい。ベントの内壁は、容器の外側に排出する前に高温の蒸気および微粒子を冷却するために、アブレーション材料（たとえばＴｅｆｌｏｎ（商標）、Ｄｅｌｒｉｎ（商標）、ＰＭＭＡ、またはナイロン（商標）など）からなってよい。
【００１８】
図４は、第１および第２電極６４、６６、アブレーション材料のカップ６８、ならびに発散ノズル７０を備えたプラズマガン６０の断面図である。電極６４、６６間の電位の短いパルスがアーク７２を発生させ、そのアーク７２が、カップ材６８のいくらかを加熱してアブレーションし、非常に導電性の高いプラズマ６２を発生させる。このプラズマが、図３に示されるように、球形電極３４Ａ、３４Ｂおよび３４Ｃの間のギャップ３５に射出され、保護アーク３７を開始する。
【００１９】
図５は、本発明の態様によるアークフラッシュ排除の方法７３を概略的に示す。これは、アークフラッシュがないか回路を連続的に探知すること７４と、アークフラッシュが起こったときに判定すること７６と、次に、アーククローバーをトリガ７８し、回路遮断器をトリップすること８０と、次に、アークフラッシュの原因を排除するために電気システムを維持すること８２と、摩耗がないかアーククローバーを確認し、必要に応じて維持すること８４と、最後に、回路遮断器をリセットして電気システムを運転に戻すこと８６とを含む。
【００２０】
実験的試験において、本発明の態様を具体化するアーククローバーは、いかなる他の既知のアークフラッシュ排除技術よりも速いことが分かった。このアーククローバーは、アブレーティブプラズマトリガを備えて作動され、１０〜６５キロアンペアの３相回路でテストされた。５ｋＡ電流の８／２０マイクロ秒のトリガパルスでトリガした後、０．２ｍｓよりも短いエネルギー転移時間を達成した。この反応時間は、たとえば米国特許第５，９３３，３０８号に述べられている機械的アーク故障保護システムの約３ｍｓの反応時間よりも約１５倍速い。本発明のアーククローバーは、機械的クローバーによって発生されるアーク放電の電流の急激なサージによる電気回路２０１の損傷を防ぐ。本発明のクローバーは、電気システム内のエネルギーの１０〜２０％を吸収するが、それに対して機械的クローバーでは全く吸収されない。さらに、本発明の態様を具体化するクローバーは、堅固で、計測可能であり、調整前に複数回再使用が可能であり得、可動部品がないため、他の技術よりもより安価でより信頼性があるはずである。上述のように、アブレーティブプラズマガンは、わずかしか起動エネルギーを必要とせず、また、可動部品がない。
【００２１】
電極間ギャップ３５のインピーダンスは、ギャップ電極のサイズおよび間隔、ならびにトリガプラズマの特性を含む、様々なパラメータによって構成および制御されることができる。プラズマ特性は、プラズマガン電極６４、６６の間隔、アブレーションカップ６８の内部寸法、トリガパルスの形状およびエネルギー、ならびにカップ６８の材料によって決定される。たとえば、上述の好結果の試験では、クローバー電極３４Ａ、３４Ｂ、３４Ｃは４０ｍｍ直径の球体であり、それぞれ隣接する球体から２５ｍｍの間隔が置かれるか、または球体の各中心が共通の中心点から半径３７．５２ｍｍのところに置かれていた。トリガは、内側の部屋の径３ｍｍおよび部屋の長さ８ｍｍのＤｅｒｌｉｎ（商標）からなるカップ６８を備えたアブレーティブプラスマガン６０であった。ノズル７０は、電極３４Ａ、３４Ｂ、３４Ｃの球体の中心の平面の約２５ｍｍ下に配置されていた。カップ６８は、上述のように、他のアブレーション材料からなってもよく、所望の場合は材料の組み合わせからなってもよい。
【００２２】
本発明の装置は、様々な方法で構成されてよい。たとえば、複数のアーククローバーユニットが、回路を保護するように構成されてよい。図６は、２つのアーククローバー３２１、３２２を備えるなど、本発明の態様を具体化するアーククローバーの第２実施形態２０２を示す。第１のアーククローバー３２１は、第１アークトリガ装置３６Ａを備えた第１ギャップによって分離された第１および第２の電極３４Ａ、３４Ｃ１を有する。第１電極３４Ａは、電気回路の第１相Ａに接続され、第２電極３４Ｃ１は、電気回路の第３相Ｃに接続される。第２のアーククローバー３２２は、第２アークトリガ装置３６Ｂを備えた第２ギャップによって分離された第３および第４の電極３４Ｂ、３４Ｃ２を有する。第３の電極３４Ｂは、電気システムの第２相Ｂに接続され、第４の電極３４Ｃ２は、電気システムの第３相Ｃに接続される。
【００２３】
図７は、３つのアーククローバー３２１、３２２、３２３を備えるなど、本発明の態様を具体化するアーククローバーの第３の実施形態２０３を示す。第１のアーククローバー３２１は、第１アークトリガ装置３６Ａを備えた第１ギャップによって分離された第１および第２電極３４Ａ、３４Ｇ１を有する。第１電極３４Ａは、電気回路の第１相Ａに接続される。第２電極３４Ｇ１は、アースに接続される。第２アーククローバー３２２は、第２アークトリガ装置３６Ｂを備えた第２ギャップによって分離された第３および第４の電極３４Ｂ、３４Ｇ２を有する。第３電極３４Ｂは、電気システムの第２相Ｂに接続され、第４電極３４Ｇ２は、アースに接続される。第３のアーククローバー３２３は、第３アークトリガ装置３６Ｃを備えた第３のギャップによって分離された第５および第６電極３４Ｃ、３４Ｇ３を有する。第５電極３４Ｃは、電気システムの第３相Ｃに接続され、第６電極３４Ｇ３は、アースに接続される。
【００２４】
本発明によるアーククローバーは、図６および７に示すように異なる構成で設置されてよい３２１、３２２、および３２３などのモジュールユニットで設けられてよい。これらユニットの主電極は、異なる電圧への適合のためにギャップ調整を備えていてよい。
【００２５】
本発明の特定の特徴のみが本明細書に例示され、説明されてきたが、当業者は多くの修正および変更を思いつくであろう。したがって、添付の特許請求の範囲は、そのようなすべての修正例および変更例が、本発明の真の精神の範囲内に属するものと意図されることを理解されたい。また、図面の符号に対応する特許請求の範囲中の符号は、単に本願発明の理解をより容易にするために用いられているものであり、本願発明の範囲を狭める意図で用いられたものではない。そして、本願の特許請求の範囲に記載した事項は、明細書に組み込まれ、明細書の記載事項の一部となる。
【図面の簡単な説明】
【００２６】
【図１】本発明の態様によるアーククローバーおよび起動回路を備えた電気回路の概略図である。
【図２】球形の電極およびトリガピンを備えたアーククローバーケースの断面図である。
【図３】プラズマガントリガを備えたアーククローバーの斜視図である。
【図４】アブレーティブプラズマガントリガの断面図である。
【図５】アークフラッシュ排除法のフローチャートである。
【図６】本発明の態様を具体化するアーククローバーの第２実施形態の概略図である。
【図７】本発明の態様を具体化するアーククローバーの第３実施形態の概略図である。
【符号の説明】
【００２７】
２０１  第１実施形態のアーククローバーを備えた電気回路
２０２  第２実施形態のアーククローバーを備えた電気回路
２０３  第３実施形態のアーククローバーを備えた電気回路
２２  電源部
Ａ  複数相の電気システムの相Ａ
Ｂ  複数相の電気システムの相Ｂ
Ｃ  複数相の電気システムの相Ｃ
２４Ａ  相Ａ母線
２４Ｂ  相Ｂ母線
２４Ｃ  相Ｃ母線
２６  信号制御回路遮断器
２８Ａ  負荷Ａ
２８Ｂ  負荷Ｂ
２８Ｃ  負荷Ｃ
３０  電気回路内のアークフラッシュ
３２  第１実施形態におけるアーククローバー
３２１  複数のクローバーの実施形態における第１アーククローバー
３２２  複数のクローバーの実施形態における第２アーククローバー
３２３  複数のクローバーの実施形態における第３アーククローバー
３４Ａ  アーククローバーのギャップ電極Ａ
３４Ｂ  アーククローバーのギャップ電極Ｂ
３４Ｃ  アーククローバーのギャップ電極Ｃ
３４Ｃ１  第２実施形態における相Ｃの２つの電極のうちの第１の電極
３４Ｃ２  第２実施形態における相Ｃの２つの電極のうちの第２の電極
３４Ｇ１  第３実施形態における第１の接地された電極
３４Ｇ２  第３実施形態における第２の接地された電極
３４Ｇ３  第３実施形態における第３の接地された電極
３５  アーククローバーのギャップ
３６  第１実施形態におけるアークトリガ装置
３６Ａ  複数のクローバーの実施形態における第１アークトリガ装置
３６Ｂ  複数のクローバーの実施形態における第２アークトリガ装置
３６Ｃ  複数のクローバーの実施形態における第３アークトリガ装置
３７  保護アーク
３８  アーククローバーの保護ケース
３９  圧力放出ベント
４０  微粒子フィルタ
４１  保護ケースの衝撃波吸収部
４２  差動電流アークフラッシュセンサ
４４  アークフラッシュ光センサ
４６  トリガ回路および回路遮断器用に信号を送る論理回路
４８  トリガ回路への起動信号
５０  回路遮断器へのトリップ信号
５２  トリガ回路
５４  トリガパルス
６０  アークトリガ用のプラズマガン
６２  プラズマ
６４  プラズマガンの第１電極
６６  プラズマガンの第２電極
６８  アブレーション材料のカップ
７０  発散プラズマノズル
７２  プラズマガンのアーク
７３  アークフラッシュ排除の方法
７４  アークフラッシュの連続探知
７６  アークフラッシュを検出
７８  アーククローバーをトリガ
８０  回路遮断器をトリップ
８２  アークフラッシュの原因を除去するために電気システムを維持
８４  アーククローバーを確認し、必要に応じて維持
８６  回路遮断器をリセット
【図１】
2008258159.tif 000003
【図２】
2008258159.tif 000004
【図３】
2008258159.tif 000005
【図４】
2008258159.tif 000006
【図５】
2008258159.tif 000007
【図６】
2008258159.tif 000008
【図７】
2008258159.tif 000009